(57)【要約】      （修正有）【課題】単に索状体にかかる張力を調整するのではなく、初心者等が泳ぎ易い状態を作り出すことができて、泳者が止まった場合には泳者にかかる抵抗負荷が確実に停止される水泳上達装置を提供する。【解決手段】装置は、プールの近傍に設置される本体部２と、一端が本体部に固定され他端が泳者に繋がれる索状体３と、索状体に係合する動滑車の軸受部に連結され索状体に張力を生じさせる重錘保持部５と、本体部において泳者に向けて索状体が導出される位置に設けられる滑車支持体６と、滑車支持体に係止され索状体に係合する誘導滑車７と、を備える。滑車支持体は、上下方向に間隔をおいて複数設けられ、誘導滑車は、各滑車支持体に対して着脱可能な係止具を有し、誘導滑車を係止する滑車支持体を変更することで索状体が導出される高さ位置を変更し、索状体の傾斜角度に応じて抵抗負荷Ｒと引き上げ力Ｐを調整する。【選択図】図１
0003230388.tif 000002
【実用新案登録請求の範囲】
【請求項１】
プールの近傍に設置される本体部と、
一端が前記本体部に固定されて、他端が泳者に繋がれる索状体と、
前記索状体に係合する動滑車の軸受部に連結されて、前記索状体に張力を生じさせる重錘を保持する重錘保持部と、
前記本体部において泳者に向けて前記索状体が導出される位置に設けられる滑車支持体と、
前記滑車支持体に係止されて前記索状体に係合する誘導滑車と、を備える水泳上達装置において、
前記滑車支持体は、上下方向に間隔をおいて複数設けられており、
前記誘導滑車は、前記各滑車支持体に対して着脱可能に係止される係止具を有しており、
前記誘導滑車を係止する滑車支持体を変更することにより、前記本体部において前記索状体が導出される高さ位置を変更可能としたことを特徴とする水泳上達装置。
【請求項２】
前記索状体には、前記誘導滑車から泳者に向かう途中部分にクリップが取り付けられており、
前記誘導滑車の軸受部には、前記索状体が前記本体部側へ引き込まれたときに前記クリップを受け止めることにより前記索状体がそれ以上引き込まれることを阻止するストッパが設けられていることを特徴とする請求項１記載の水泳上達装置。
【考案の詳細な説明】
【技術分野】
【０００１】
本考案は、水泳を上達させるための水泳上達装置に関する。
【背景技術】
【０００２】
従来、水泳を上達させるための装置として、泳者に繋いだ索状体を巻き取るドラムと、ドラムを駆動するサーボモータを備え、制御盤でサーボモータを制御することにより索状体にかかる張力を調整して、泳者にかかる抵抗負担を加減する水泳上達装置が提案されている（例えば、特許文献１参照。）。
【先行技術文献】
【特許文献】
【０００３】
【特許文献１】特開２００５−７１１１号公報
【考案の概要】
【考案が解決しようとする課題】
【０００４】
しかし、上記水泳上達装置は、単に張力を調整して抵抗負荷を加減することのみを目的とするため、所定の泳力を有する者が更に泳力を向上させるためには有効であるが、まだ泳力が十分でない初心者等には使えないという問題がある。また、負荷調整にサーボモータを用いるため、プールサイドでは水掛かりによる漏電の恐れがあり、制御盤の故障等により泳者が止まっても抵抗負荷がかかり続ける事故も懸念される。
【０００５】
上記のような実情に鑑みて、本考案は、単に索状体にかかる張力を調整するのではなく、初心者等が泳ぎ易い状態を作り出すことができて、泳者が止まった場合には泳者にかかる抵抗負荷が確実に停止される水泳上達装置を提供する。
【課題を解決するための手段】
【０００６】
請求項１の考案は、
プールの近傍に設置される本体部と、
一端が前記本体部に固定されて、他端が泳者に繋がれる索状体と、
前記索状体に係合する動滑車の軸受部に連結されて、前記索状体に張力を生じさせる重錘を保持する重錘保持部と、
前記本体部において泳者に向けて前記索状体が導出される位置に設けられる滑車支持体と、
前記滑車支持体に係止されて前記索状体に係合する誘導滑車と、を備える水泳上達装置において、
前記滑車支持体は、上下方向に間隔をおいて複数設けられており、
前記誘導滑車は、前記各滑車支持体に対して着脱可能に係止される係止具を有しており、
前記誘導滑車を係止する滑車支持体を変更することにより、前記本体部において前記索状体が導出される高さ位置を変更可能としたことを特徴とする水泳上達装置を提供する。
【０００７】
請求項２の考案は、
前記索状体には、前記誘導滑車から泳者に向かう途中部分にクリップが取り付けられており、
前記誘導滑車の軸受部には、前記索状体が前記本体部側へ引き込まれたときに前記クリップを受け止めることにより前記索状体がそれ以上引き込まれることを阻止するストッパが設けられていることを特徴とする請求項１記載の水泳上達装置を提供する。
【考案の効果】
【０００８】
請求項１の考案に係る水泳上達装置によれば、以下の優れた効果を奏し得る。プール近傍の本体部から導出される索状体の張力Ｔは、図１（ａ）及び（ｂ）に示すように、泳者の推進方向と逆方向に作用する抵抗負荷Ｒ、及び泳者を上方に引っ張る力Ｐに分解され、索状体の傾斜角度に応じて抵抗負荷と引き上げ力の比率が変化する。本考案では、この傾斜角度による比率変化に着目し、索状体を導出する高さ位置（誘導滑車を係止する高さ位置）を調整し、図１（ａ）に示すように抵抗負荷Ｒを小さく、引き上げ力Ｐを大きく（泳ぎ易く）して、初心者等に適した使用条件に、また、図１（ｂ）に示すように抵抗負荷Ｒを大きく、引き上げ力Ｐを小さく抑えて、上級者等に適した使用条件を作り出すことができる。すなわち、上達するにつれて、誘導滑車を係止する高さ位置を低くしていくと良い。
【０００９】
請求項２の考案に係る水泳上達装置によれば、請求項１の考案に係る水泳上達装置が奏する効果に加えて、以下の優れた効果を奏し得る。泳者が止まった場合には索状体が本体部側へ引き込まれるが、その途中部に取り付けられたクリップが誘導滑車の軸受部に設けられたストッパに受け止められて、索状体がそれ以上引き込まれることを防止する安全装置として機能する。クリップは容易に着脱できるので、使用状況に応じて位置を調整することができる。
【図面の簡単な説明】
【００１０】
【図１】本考案に係る水泳上達装置の使用例を示す図。
【図２】水泳上達装置の構造を示す図。
【考案を実施するための形態】
【００１１】
以下、本考案の実施形態について添付図面を参照しながら説明する。図１は、本考案に係る水泳上達装置の使用例で、（ａ）は初心者向け、（ｂ）は上級者向けに設定した状態を示す。図２は、水泳上達装置の側面図で、破断線で囲まれる部分は内部構造を示している。
【００１２】
水泳上達装置１は、図１（ａ）及び（ｂ）に示すように、プールサイドに設置されて、プールサイドから離れる方向に進む泳者Ｓに繋いだ索状体（ロープ）２を重錘による重力で引っ張り、泳者Ｓの推進方向と反対方向の抵抗負荷を加えて、その抵抗負荷を泳者Ｓの泳力に応じて適宜加減することにより、効率的に水泳を上達させるものである。
【００１３】
水泳上達装置１は、図２に示すように、プールサイドに設置される本体部２と、一端３ａが本体部２に固定されて他端３ｂが泳者Ｓに繋がれる索状体３と、索状体３に係合する動滑車４１、４２の軸受部４ａに連結されて、索状体３に張力を生じさせる重錘５１を保持する重錘保持部５と、本体部２において泳者Ｓに向けて索状体３が導出される位置（本体部２の側端部）に設けられる滑車支持体６と、滑車支持体６に係止されて索状体３に係合する誘導滑車７を備えてなる。
【００１４】
本体部２は、プールサイドに設置される箱状体で、図２に示すように、底面の四隅に取り付けられているキャスター２１により移動可能であり、キャスター２１をロックするロックレバーＬを操作することにより動かないように位置決めされる。なお、位置決め状態において転倒等しないように、内部に大重量のウェイト２２が搭載されている。なお、本体部２の上部には三つの固定滑車２３、２４、２５を固定されており、固定滑車２３、２４は索状体３に係合して、動滑車４１、４２とそれらに連結される重錘保持部５と共に、索状体３に張力を生じさせる重量負荷機構を構成する（詳細は後述する）。固定滑車２５も索状体３に係合して、索状体３をそれが導出される位置の上方まで案内する。
【００１５】
索状体３は、図２に示すように、一端３ａが本体部２の上部に設けられた係止部２６に括り付けられる等して固定され、その一端（固定端）３ａの近傍に並ぶように設けられる固定滑車２３、２４に係合されている。索状体３には、更に固定端３ａと固定滑車２３、及び固定滑車２３と２４の間で、それぞれ動滑車４１、４２が係合しており、これら二つの動滑車４１、４２を軸受する軸受部４ａには重錘５１を保持する重錘保持部５が連結されている。これにより、重錘保持部５が索状体３に張力を生じさせる重量負荷機構が構成されている。なお、重錘保持部５に保持させる重錘５１の数を変えることにより、張力Ｔそのものを調整することができる。
【００１６】
索状体３は、図２に示すように、固定滑車２４から、本体部２の側端上部に固定される固定滑車２５に巻き掛けられ、更に固定滑車２５の下方に設けられる誘導滑車７に巻き掛けられるように係合して、そこからプール内の泳者Ｓ（図１）に向けて導出され、その先端側が固定具（図示せず）により泳者Ｓに繋がれる。誘導滑車７は、その軸受部７１にフック状の係止具７１ａを有しており、この係止具７１ａを用いて、本体部２において横方向（図に対して垂直方向）に延びるように設けられるバー状の滑車支持体６に係止される。
【００１７】
滑車支持体６は、本体部２の側部に上下方向に間隔をおいて五本（複数）設けられており、これらの中から誘導滑車７を係止する滑車支持体６を選択することにより、本体部２から索状体３が導出される高さ位置が決定される。すなわち、誘導滑車７を係止する滑車支持体６を適宜変更して索状体３を誘導することにより、索状体３が導出される高さ位置を変更することができるようになり、その結果、図１に示すように、泳者Ｓに向かって延びる索状体３の傾斜角度が調整可能になるものである。
【００１８】
索状体３には、図１及び図２に示すように、誘導滑車７から泳者Ｓに向けて延びる途中部分に索状体３を挟み付けるようにクリップ８が取り付けられている。このクリップ８は、泳者Ｓが泳ぎを止めたときに索状体３がそのまま本体部２へ引き込まれることを防止する安全装置であり、具体的にはクリップ８が誘導滑車７の軸受部７１に設けられたストッパ７１ｂに受け止められることにより、索状体３がそれ以上引き込まれないようにロックする。クリップ８は、つまみ部８ａをつまむことで容易に着脱できるので、使用状況に応じて位置調整することができる。
【００１９】
水泳上達装置１をプールサイドに設置することにより、プールの底面に描かれたコースラインと泳者の進行方向が直交して、泳者はコースラインを見て泳ぐことにより自分がどの位置にいるかを知ることができて、また、使用している重錘の重さも自分の泳力を測ることができるので、それを参考に工夫することで理想的な泳ぎ方を身に着けられ、上級者においても自己記録を更新し易くなる。水泳上達装置１を複数設置することにより、同じ大きさのプールでも多くの泳者が、整然と泳者同士で接触することなく練習することができる。
【符号の説明】
【００２０】
１    水泳上達装置
２    本体部
３    索状体（ロープ）
４１、４２    動滑車
５    重錘保持部
６    滑車支持体
７    誘導滑車
【図１】
0003230388.tif 000003
【図２】
0003230388.tif 000004